(57)【要約】【課題】本発明は、液晶表示パネルとピン又はハウジングの外形との位置を調整することを目的とする。【解決手段】液晶表示装置は、液晶表示パネル１０及び上カバー２２に固定された中フレーム２６と、第１プレート部３８を有する下フレーム３６と、第２プレート部５０を有して上カバー２２とともにハウジングを構成する下カバー４６と、を有する。複数の第１貫通孔４０のピッチと複数の第２貫通孔５２のピッチとは異なっている。１つの第１貫通孔４０及び１つの第２貫通孔５２の組み合わせを選択して位置を合わせてインサート５４の挿入により１つの第１貫通孔４０及び１つの第２貫通孔５２の相対的位置を固定することができ、組み合わせによって、下フレーム３６と下カバー４６の相対的位置を調整することを介して、ピン４４と下カバー４６の相対的位置を調整できる。【選択図】図１
2010185924.tif 000002
【特許請求の範囲】
【請求項１】
液晶表示パネルと、
前記液晶表示パネルと対向するバックライトと、
前記液晶表示パネルの表示面側に配置される上カバーと、
前記液晶表示パネルと前記バックライトの間に配置され、前記液晶表示パネル及び前記上カバーに固定された中フレームと、
前記バックライトの前記液晶表示パネルとは反対の面を支持する第１プレート部を有する下フレームと、
前記下フレームの前記第１プレート部をスライド可能に支持する第２プレート部を有し、前記上カバーとともにハウジングを構成する下カバーと、
を有し、
前記下フレームは、前記バックライトとは反対方向に突出するピンと、前記第１プレート部に形成された複数の第１貫通孔とを有し、
前記下カバーは、前記ピンが挿入されており前記ピンの外形よりも大きい穴と、前記第２プレート部に形成された複数の第２貫通孔と、を有し、
前記複数の第１貫通孔のピッチと前記複数の第２貫通孔のピッチとは異なっており、
１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定することができ、前記組み合わせによって、前記下フレームと前記下カバーの相対的位置を調整することを介して、前記ピンと前記下カバーの相対的位置を調整できることを特徴とする液晶表示装置。
【請求項２】
液晶表示パネルと、
前記液晶表示パネルと対向するバックライトと、
前記液晶表示パネルの表示面側に配置される上カバーと、
前記液晶表示パネルと前記バックライトの間に配置され、前記液晶表示パネル及び前記上カバーに固定された中フレームと、
前記バックライトの前記液晶表示パネルとは反対の面を支持する第１プレート部と、前記バックライトとは反対方向に突出するピンと、前記第１プレート部に形成された複数の第１貫通孔と、を有する下フレームと、
前記下フレームの前記第１プレート部をスライド可能に支持する第２プレート部と、前記ピンが挿入されており前記ピンの外形よりも大きい穴と、前記第２プレート部に形成された前記複数の第１貫通孔とはピッチが異なる複数の第２貫通孔と、を有し、前記上カバーとともにハウジングを構成する下カバーと、
を用意する工程と、
１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定し、前記組み合わせによって、前記下フレームと前記下カバーの相対的位置を調整することを介して、前記ピンと前記下カバーの相対的位置を調整する工程と、
を含むことを特徴とする液晶表示装置の製造方法。
【請求項３】
液晶表示パネルと、
前記液晶表示パネルと対向するバックライトと、
前記液晶表示パネルと前記バックライトの間で前記液晶表示パネルに固定された中フレームと、
前記バックライトの前記液晶表示パネルとは反対の面を支持する第１プレート部を有し、前記中フレームに固定された下フレームと、
前記液晶表示パネルの表示面側に配置される上カバーと、
前記下フレームの前記第１プレート部をスライド可能に支持する第２プレート部を有し、前記上カバーとともにハウジングを構成する下カバーと、
を有し、
前記下フレームは、前記第１プレート部に形成された複数の第１貫通孔を有し、
前記下カバーは、前記第２プレート部に形成された複数の第２貫通孔を有し、
前記複数の第１貫通孔のピッチと前記複数の第２貫通孔のピッチとは異なっており、
１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定することができ、前記組み合わせによって、前記下フレームと前記下カバーの相対的位置を調整することを介して、前記液晶表示パネルと前記ハウジングの相対的位置を調整できることを特徴とする液晶表示装置。
【請求項４】
液晶表示パネルと、
前記液晶表示パネルと対向するバックライトと、
前記液晶表示パネルと前記バックライトの間で前記液晶表示パネルに固定された中フレームと、
前記バックライトの前記液晶表示パネルとは反対の面を支持する第１プレート部と、前記第１プレート部に形成された複数の第１貫通孔と、を有し、前記中フレームに固定された下フレームと、
前記液晶表示パネルの表示面側に配置される上カバーと、
前記下フレームの前記第１プレート部をスライド可能に支持する第２プレート部と、前記第２プレート部に形成された前記複数の第１貫通孔とはピッチが異なる複数の第２貫通孔と、を有し、前記上カバーとともにハウジングを構成する下カバーと、
を用意する工程と、
１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定し、前記組み合わせによって、前記下フレームと前記下カバーの相対的位置を調整することを介して、前記液晶表示パネルと前記ハウジングの相対的位置を調整する工程と、
を含むことを特徴とする液晶表示装置の製造方法。
【発明の詳細な説明】
【技術分野】
【０００１】
本発明は、液晶表示装置及びその製造方法に関する。
【背景技術】
【０００２】
液晶表示パネルとバックライトを一体化した液晶表示装置が知られている（特許文１参照）。こうした液晶表示装置には、他の部品との位置決めのためにピンが設けられることがある。あるいは、他の部品との位置決めは、筐体の外形によって行うこともある。
【先行技術文献】
【特許文献】
【０００３】
【特許文献１】特開２００８−９０１０号公報
【発明の概要】
【発明が解決しようとする課題】
【０００４】
従来の液晶表示装置では、液晶表示パネルとピンとの位置が固定されており、あるいは、液晶表示パネルとハウジングの外形との位置が固定されていた。したがって、液晶表示パネルを正確な位置に組み込まないとその後の調整ができないという問題があった。
【０００５】
本発明は、液晶表示パネルとピン又はハウジングの外形との位置を調整することを目的とする。
【課題を解決するための手段】
【０００６】
（１）本発明に係る液晶表示装置は、液晶表示パネルと、前記液晶表示パネルと対向するバックライトと、前記液晶表示パネルの表示面側に配置される上カバーと、前記液晶表示パネルと前記バックライトの間に配置され、前記液晶表示パネル及び前記上カバーに固定された中フレームと、前記バックライトの前記液晶表示パネルとは反対の面を支持する第１プレート部を有する下フレームと、前記下フレームの前記第１プレート部をスライド可能に支持する第２プレート部を有し、前記上カバーとともにハウジングを構成する下カバーと、を有し、前記下フレームは、前記バックライトとは反対方向に突出するピンと、前記第１プレート部に形成された複数の第１貫通孔とを有し、前記下カバーは、前記ピンが挿入されており前記ピンの外形よりも大きい穴と、前記第２プレート部に形成された複数の第２貫通孔と、を有し、前記複数の第１貫通孔のピッチと前記複数の第２貫通孔のピッチとは異なっており、１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定することができ、前記組み合わせによって、前記下フレームと前記下カバーの相対的位置を調整することを介して、前記ピンと前記下カバーの相対的位置を調整できることを特徴とする。本発明によれば、液晶表パネルが中フレームによって上カバーに固定されているので、ピンが形成された下フレームを移動させて、液晶表示パネルとピンの相対的位置を調整することができる。
【０００７】
（２）本発明に係る液晶表示装置の製造方法は、液晶表示パネルと、前記液晶表示パネルと対向するバックライトと、前記液晶表示パネルの表示面側に配置される上カバーと、前記液晶表示パネルと前記バックライトの間に配置され、前記液晶表示パネル及び前記上カバーに固定された中フレームと、前記バックライトの前記液晶表示パネルとは反対の面を支持する第１プレート部と、前記バックライトとは反対方向に突出するピンと、前記第１プレート部に形成された複数の第１貫通孔と、を有する下フレームと、前記下フレームの前記第１プレート部をスライド可能に支持する第２プレート部と、前記ピンが挿入されており前記ピンの外形よりも大きい穴と、前記第２プレート部に形成された前記複数の第１貫通孔とはピッチが異なる複数の第２貫通孔と、を有し、前記上カバーとともにハウジングを構成する下カバーと、を用意する工程と、１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定し、前記組み合わせによって、前記下フレームと前記下カバーの相対的位置を調整することを介して、前記ピンと前記下カバーの相対的位置を調整する工程と、を含むことを特徴とする。本発明によれば、液晶表パネルが中フレームによって上カバーに固定されているので、ピンが形成された下フレームを移動させて、液晶表示パネルとピンの相対的位置を調整することができる。
【０００８】
（３）本発明に係る液晶表示装置は、液晶表示パネルと、前記液晶表示パネルと対向するバックライトと、前記液晶表示パネルと前記バックライトの間で前記液晶表示パネルに固定された中フレームと、前記バックライトの前記液晶表示パネルとは反対の面を支持する第１プレート部を有し、前記中フレームに固定された下フレームと、前記液晶表示パネルの表示面側に配置される上カバーと、前記下フレームの前記第１プレート部をスライド可能に支持する第２プレート部を有し、前記上カバーとともにハウジングを構成する下カバーと、を有し、前記下フレームは、前記第１プレート部に形成された複数の第１貫通孔を有し、前記下カバーは、前記第２プレート部に形成された複数の第２貫通孔を有し、前記複数の第１貫通孔のピッチと前記複数の第２貫通孔のピッチとは異なっており、１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定することができ、前記組み合わせによって、前記下フレームと前記下カバーの相対的位置を調整することを介して、前記液晶表示パネルと前記ハウジングの相対的位置を調整できることを特徴とする。本発明によれば、液晶表パネルが中フレームによって下フレームに固定されているので、下フレームを移動させて、液晶表示パネルとハウジングの相対的位置を調整することができる。
【０００９】
（４）本発明に係る液晶表示装置の製造方法は、液晶表示パネルと、前記液晶表示パネルと対向するバックライトと、前記液晶表示パネルと前記バックライトの間で前記液晶表示パネルに固定された中フレームと、前記バックライトの前記液晶表示パネルとは反対の面を支持する第１プレート部と、前記第１プレート部に形成された複数の第１貫通孔と、を有し、前記中フレームに固定された下フレームと、前記液晶表示パネルの表示面側に配置される上カバーと、前記下フレームの前記第１プレート部をスライド可能に支持する第２プレート部と、前記第２プレート部に形成された前記複数の第１貫通孔とはピッチが異なる複数の第２貫通孔と、を有し、前記上カバーとともにハウジングを構成する下カバーと、を用意する工程と、１つの前記第１貫通孔及び１つの前記第２貫通孔の組み合わせを選択して位置を合わせてインサートの挿入により前記１つの前記第１貫通孔及び前記１つの前記第２貫通孔の相対的位置を固定し、前記組み合わせによって、前記下フレームと前記下カバーの相対的位置を調整することを介して、前記液晶表示パネルと前記ハウジングの相対的位置を調整する工程と、を含むことを特徴とする。本発明によれば、液晶表パネルが中フレームによって下フレームに固定されているので、下フレームを移動させて、液晶表示パネルとハウジングの相対的位置を調整することができる。
【図面の簡単な説明】
【００１０】
【図１】本発明の第１の実施の形態に係る液晶表示装置を示す断面図である。
【図２】第１プレート部及び第２プレート部を示す平面図である。
【図３】ピンの液晶表示パネルに対する相対的位置の調整を説明する図である。
【図４】本発明の第２の実施の形態に係る液晶表示装置を示す断面図である。
【図５】液晶表示パネルのハウジングに対する相対的位置の調整を説明する図である。
【発明を実施するための形態】
【００１１】
以下、本発明の実施の形態について、図面を参照して説明する。
【００１２】
［第１の実施の形態］
図１は、本発明の第１の実施の形態に係る液晶表示装置を示す断面図である。
【００１３】
液晶表示装置は、液晶表示パネル１０を有する。液晶表示パネル１０の両面にはそれぞれ偏光板１２が配置されている。液晶表示装置は、液晶表示パネル１０と対向するバックライト１４を有する。液晶表示パネル１０とバックライト１４は固定されておらず、相対的に位置の移動（例えば対向面に沿ったスライド）が可能である。液晶表示パネル１０とバックライト１４の間に一方の偏光板１２が介在する。液晶表示パネル１０には図示しないフレキシブル配線基板が取り付けられている。
【００１４】
液晶表示パネル１０は、対向する一対の基板１６，１８を有し、一方の基板１６は、図示しないブラックマトリクス及び複数色の着色層を含むカラーフィルタ基板であり、他方の基板１８は、図示しないＴＦＴ（Thin Film Transistor）及び画素電極などを含むＴＦＴ基板（又はアレイ基板）である。一対の基板１６，１８の間に液晶２０が挟まれている。
【００１５】
液晶表示装置は、液晶表示パネル１０の表示面側に配置される上カバー２２を有する。上カバー２２は、液晶表示パネル１０の表示面の上方に光透過領域２４を有する。光透過領域２４は、図１に示すように開口であってもよいし、光透過性の材料からなる部位であってもよい。上カバー２２は、液晶表示パネル１０を上方から覆う形状をなしており、側部を有している。
【００１６】
液晶表示装置は、中フレーム２６を有する。中フレーム２６は、液晶表示パネル１０とバックライト１４の間に配置される支持部２８を有し、支持部２８が液晶表示パネル１０に固定されている。固定は、粘着テープ３０による粘着によって図られる。中フレーム２６は、液晶表示パネル１０の側方に壁部３２を有し、壁部３２は液晶表示パネル１０を取り付けるときの位置決めに使用される。中フレーム２６は、上カバー２２との固定に使用される固定部３４を有する。固定部３４は、壁部３２とは反対方向に垂れ下がるように形成されている。中フレーム２６は、下カバー４６の一部（取付部４８）を介して、上カバー２２に固定されている。固定部３４は、下カバー４６の取付部４８に圧接して固定されている。
【００１７】
液晶表示装置は、下フレーム３６を有する。下フレーム３６は、バックライト１４の、液晶表示パネル１０とは反対の面を支持する第１プレート部３８を有する。第１プレート部３８には、複数の第１貫通孔４０が形成されている。第１プレート部３８は、区画壁部４２を有し、区画壁部４２の内側にバックライト１４が配置されている。区画壁部４２の対向する一対の部分（バックライト１４の両側に位置する部分）は、中フレーム２６の固定部３４の対向する一対の部分（下カバー４６の取付部４８に圧接する部分）の内側に、間隔をあけて位置している。そして、中フレーム２６の固定部３４の対向する一対の部分の内側で、下フレーム３６は移動可能になっている。
【００１８】
区画壁部４２が第１プレート部３８と中フレーム２６の支持部２８との間にスペーサとして介在することで、両者間にバックライト１４の収容スペースが確保される。バックライト１４は、第１プレート部３８に固定されていないが、区画壁部４２の内側に収容されている。下フレーム３６は、バックライト１４とは反対方向に突出するピン４４を有する。ピン４４は第１プレート部３８に形成されている。
【００１９】
液晶表示装置は、下カバー４６を有する。下カバー４６は、上カバー２２とともにハウジングを構成する。下カバー４６は、上カバー２２との取付部４８を有する。取付部４８は、中フレーム２６の固定部３４と上カバー２２の間に挟まれることで上カバー２２に取り付けられる。
【００２０】
下カバー４６は、下フレーム３６の第１プレート部３８をスライド可能に支持する第２プレート部５０を有する。下カバー４６は、ピン４４が挿入されてピン４４の外形よりも大きい穴５１を有する。この穴５１は第２プレート部５０に形成されている。第２プレート部５０にはさらに複数の第２貫通孔５２が形成されている。
【００２１】
１つの第１貫通孔４０と１つの第２貫通孔５２の位置を合わせて、これらにインサート５４が挿入されている。インサート５４の挿入により１つの第１貫通孔４０及び１つの第２貫通孔５２の相対的位置を固定することができる。インサート５４は圧入されてもよいし、ネジによって固定されてもよい。
【００２２】
図２は、第１プレート部３８及び第２プレート部５０を示す平面図である。第１プレート部３８に形成された複数の第１貫通孔４０の縦ピッチはＬであるのに対して、第２プレート部５０に形成された複数の第２貫通孔５２の縦ピッチはＬ＋αである。なお、αはマイナスの値であってもよい。同様に、第１プレート部３８に形成された複数の第１貫通孔４０の横ピッチはＭであるのに対して、第２プレート部５０に形成された複数の第２貫通孔５２の横ピッチはＭ＋βである。なお、βはマイナスの値であってもよい。このように、複数の第１貫通孔４０のピッチと複数の第２貫通孔５２のピッチとは異なっている。したがって、１つの第１貫通孔４０及び１つの第２貫通孔５２の組み合わせによって、下フレーム３６と下カバー４６の相対的位置がずれるようになっている。
【００２３】
図３は、ピン４４の液晶表示パネル１０に対する相対的位置の調整を説明する図である。図１及び図３を比較して明らかなように、１つの第１貫通孔４０及び１つの第２貫通孔５２の組み合わせによって、下フレーム３６と下カバー４６の相対的位置を調整することができる。詳しくは、図３では、図１で選択した左側の一組から２つ右にずれた一組を選択しているので、下フレーム３６が、２β（図２参照）の寸法を以て右にずれる。これにより、同じ寸法をピン４４も移動する。こうして、ピン４４と下カバー４６の相対的位置を調整することができる。
【００２４】
なお、図２に示すように、複数の第１貫通孔４０のピッチと複数の第２貫通孔５２のピッチとは、図２に示すように縦方向にも異なっているので、図１及び図３に示す例で、図面の表裏面方向にも、ピン４４と下カバー４６の相対的位置を調整することができる。
【００２５】
本実施の形態によれば、ピン４４が形成された下フレーム３６を移動させて、液晶表示パネル１０とピン４４の相対的位置を調整することができる。
【００２６】
液晶表示装置の製造方法では、液晶表示パネル１０と、バックライト１４と、上カバー２２と、中フレーム２６と、下フレーム３６と、下カバー４６と、を用意する。これらの詳細は上述した通りである。
【００２７】
これらの組み立てにおいて、液晶表示パネル１０は、壁部３２に合わせて配置し、粘着テープ３０によって中フレーム２６（支持部２８）に固定する。中フレーム２６と下カバー４６の間に、バックライト１４及び下フレーム３６を配置して、中フレーム２６に下カバー４６を取り付ける。そして、ピン４４の位置が、最適の位置に最も近くなる一組の第１貫通孔４０と第２貫通孔５２を選択して、インサート５４を挿入する。こうすることで、液晶表示パネル１０とピン４４の相対的位置を調整することができる。そして、下カバー４６に上カバー２２を取り付ける。その他のプロセスは、上述した構成から自明な方法を含み、さらに、液晶表示装置の公知の製造方法を含む。
【００２８】
［第２の実施の形態］
図４は、本発明の第２の実施の形態に係る液晶表示装置を示す断面図である。
【００２９】
本実施の形態では、中フレーム１２６が上カバー１２２に固定されておらず、ハウジング（上カバー１２２及び下カバー１４６）の内側で移動可能になっている。さらに、下フレーム１３６が中フレーム１２６に固定されている。詳しくは、中フレーム１２６の固定部１３４の内側に、下フレーム１３６の区画壁部１４２が固定されている。また、下フレーム１３６にはピンが形成されておらず、下カバー１４６にはピンを挿通する穴がない。これ以外の構成は、第１の実施の形態で説明した内容が該当する。
【００３０】
本実施の形態によれば、１つの第１貫通孔１４０及び１つの第２貫通孔１５２の組み合わせによって、下フレーム１３６と下カバー１４６の相対的位置を調整することができる。これにより、液晶表示パネル１０とハウジングの相対的位置を調整することができる。
【００３１】
図５は、液晶表示パネル１０のハウジングに対する相対的位置の調整を説明する図である。図４及び図５を比較して明らかなように、１つの第１貫通孔１４０及び１つの第２貫通孔１５２の組み合わせによって、下フレーム１３６と下カバー１４６の相対的位置を調整することができる。詳しくは、図５では、図４で選択した左側の一組から２つ右にずれた一組を選択しているので、下フレーム１３６が所定の寸法を以て右にずれる。そうすると、下フレーム１３６に固定された中フレーム１２６も同じ寸法を移動し、中フレーム１２６に固定された液晶表示パネル１０も同じ寸法を移動する。こうして、下カバー１４６と液晶表示パネル１０の相対的位置を調整することができるので、下カバー１４６及び上カバー１２２によって構成されるハウジングの外形と液晶表示パネル１０の相対的位置を調整することができる。
【００３２】
本実施の形態に係る液晶表示装置の製造方法は、上述した構成から自明の内容を含み、その詳細は第１の実施の形態で説明した通りであり、さらに、液晶表示装置の公知の製造方法を含む。
【００３３】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３４】
１０  液晶表示パネル、１２  偏光板、１４  バックライト、１６  基板、１８  基板、２０  液晶、２２  上カバー、２４  光透過領域、２６  中フレーム、２８  支持部、３０  粘着テープ、３２  壁部、３４  固定部、３６  下フレーム、３８  第１プレート部、４０  第１貫通孔、４２  区画壁部、４４  ピン、４６  下カバー、４８  取付部、５０  第２プレート部、５１  穴、５２  第２貫通孔、５４  インサート、１２２  上カバー、１２６  中フレーム、１３４  固定部、１３６  下フレーム、１４０  第１貫通孔、１４２  区画壁部、１４６  下カバー、１５２  第２貫通孔。
【図１】
2010185924.tif 000003
【図２】
2010185924.tif 000004
【図３】
2010185924.tif 000005
【図４】
2010185924.tif 000006
【図５】
2010185924.tif 000007